(57)【要約】      （修正有）【課題】部品点数を増加させることなく、情報表示を確実に添付することのできる包装用箱を提供する。【解決手段】物品を内部に収容する箱本体２と、箱本体２の内部に配置され物品を仕切る仕切部と、仕切部に連設され備品を保持する備品保持部と、を有する仕切保持部３と、を備える。仕切保持部３は、情報表示を付した天頂面を有し、箱本体２と別部材で構成される。さらに、天頂面を有する天頂板８３の少なくとも一端辺が、天頂折目線８２と天頂切目により形成され、天頂切目が天頂折目線８２よりも天頂板８３の外側へ突出するものである。【選択図】図１
0003174492.tif 000002
【実用新案登録請求の範囲】
【請求項１】
物品を内部に収容する箱本体と、
当該箱本体の内部に配置され備品を保持する備品保持部と、を備える包装用箱であって、
前記備品保持部は、情報表示を付した天頂面を有し、前記箱本体と別部材で構成されることを特徴とする包装用箱。
【請求項２】
物品を内部に収容する箱本体と、
当該箱本体の内部に配置され前記物品を仕切る仕切部を備える包装用箱であって、
前記仕切部は、情報表示を付した天頂面を有し、前記箱本体と別部材で構成されることを特徴とする包装用箱。
【請求項３】
物品を内部に収容する箱本体と、
当該箱本体の内部に配置され前記物品を仕切る仕切部と、当該仕切部に連設され備品を保持する備品保持部と、を有する仕切保持部と、を備える包装用箱であって、
前記仕切保持部は、情報表示を付した天頂面を有し、前記箱本体と別部材で構成されることを特徴とする包装用箱。
【請求項４】
前記天頂面を有する天頂板の少なくとも一端辺は、天頂折目線と天頂切目により形成され、
前記天頂切目は前記天頂折目線よりも前記天頂板の外側へ突出することを特徴とする請求項１から請求項３のいずれか一項に記載の包装用箱。
【請求項５】
前記天頂面は、前記箱本体の開口部側に配置されることを特徴とする請求項１から請求項４のいずれか一項に記載の包装用箱。
【考案の詳細な説明】
【技術分野】
【０００１】
本考案は、情報表示を付した包装用箱に関するものである。
【背景技術】
【０００２】
従来、包装用箱の中に、内容物についての説明を付した表示物を同梱したり、内容物について強調すべき点を記載した表示板を需要者の目に留まり易いように広告的に取り付けることが行われている。
【０００３】
例えば、特許文献１に示す包装用箱では、表示広告機能を有するカートンコーナー用表示体を蓋の角部を構成する三面にそれぞれが重なるように配置して、内容物の表示又は強調すべき点を表している。
【０００４】
しかし、この情報表示を付した部品であるカートンコーナー用表示体は、包装用箱を構成するのに必要不可欠な部品ではない。このため、部品点数が増加するとともに、包装用箱に同梱されなかったり、取り付けられなかったりする恐れがある。
【先行技術文献】
【特許文献】
【０００５】
【特許文献１】実開昭５８−１０９９１２号公報
【考案の概要】
【考案が解決しようとする課題】
【０００６】
本考案は、上記課題を解決すべくなされたものである。本考案の目的は、部品点数を増加させることなく、情報表示を確実に添付することのできる包装用箱の提供である。
【課題を解決するための手段】
【０００７】
本考案の解決しようとする課題は以上の如くであり、次にこの課題を解決するための手段を説明する。
【０００８】
即ち、請求項１においては、物品を内部に収容する箱本体と、当該箱本体の内部に配置され備品を保持する備品保持部と、を備える包装用箱であって、前記備品保持部は、情報表示を付した天頂面を有し、前記箱本体と別部材で構成されるものである。
【０００９】
請求項２においては、物品を内部に収容する箱本体と、当該箱本体の内部に配置され前記物品を仕切る仕切部を備える包装用箱であって、前記仕切部は、情報表示を付した天頂面を有し、前記箱本体と別部材で構成されるものである。
【００１０】
請求項３においては、物品を内部に収容する箱本体と、当該箱本体の内部に配置され前記物品を仕切る仕切部と、当該仕切部に連設され備品を保持する備品保持部と、を有する仕切保持部と、を備える包装用箱であって、前記仕切保持部は、情報表示を付した天頂面を有し、前記箱本体と別部材で構成されるものである。
【００１１】
請求項４においては、前記天頂面を有する天頂板の少なくとも一端辺は、天頂折目線と天頂切目により形成され、前記天頂切目は前記天頂折目線よりも前記天頂板の外側へ突出するものである。
【００１２】
請求項５においては、前記天頂面は、前記箱本体の開口部側に配置されるものである。
【考案の効果】
【００１３】
本考案の効果として、以下に示すような効果を奏する。
【００１４】
請求項１においては、備品を保持する備品保持部が、情報表示を付した天頂面を有することで、部品点数を増加させることなく、包装用箱に情報表示を付することができる。さらに、備品を包装用箱内に保持するために必要不可欠な部材である備品保持部に情報表示が付されているため、包装用箱に情報表示を確実に添付することができる。また、箱本体と備品保持部が、別部材で構成されることで、物品に対応した情報表示を有する備品保持部を切り替えることが容易となり、様々な物品の収容に対応する箱本体とすることができる。
【００１５】
請求項２においては、物品を仕切る仕切部が、情報表示を付した天頂面を有することで、部品点数を増加させることなく、包装用箱に情報表示を付することができる。さらに、物品を仕切るために必要不可欠な部材である仕切部に情報表示が付されているため、包装用箱に情報表示を確実に添付することができる。また、箱本体と仕切部が、別部材で構成されることで、物品に対応した情報表示を有する仕切部を切り替えることが容易となり、様々な物品の収容に対応する箱本体とすることができる。
【００１６】
請求項３においては、物品を仕切る仕切部と、仕切部に連設された備品を保持する保持部とを有する仕切保持部が、情報表示を付した天頂面を有することで、部品点数を増加させることなく、包装用箱に情報表示を付することができる。さらに、物品を仕切るために必要不可欠な部材である仕切部と備品を包装用箱内に保持するために必要不可欠な備品保持部とが連設されている仕切保持部に、情報表示が付されているため、包装用箱に情報表示を確実に添付することができる。また、箱本体と仕切保持部が、別部材で構成されることで、物品に対応した情報表示を有する仕切保持部を切り替えることが容易となり、様々な物品の収容に対応する箱本体とすることができる。
【００１７】
請求項４においては、請求項１から請求項３の効果に加え、天頂面を有する天頂板の少なくとも一端辺が、天頂折目線と天頂切目により形成され、天頂切目が天頂折目線よりも天頂板の外側へ突出するので、情報表示を付する部分である天頂面を広く設けることができる。
【００１８】
請求項５においては、請求項１から請求項４の効果に加え、天頂面が箱本体の開口部側に配置されるため、天頂面に付された情報表示が認識しやすくなる。
【図面の簡単な説明】
【００１９】
【図１】本実施形態の組み立て途中の包装用箱を示す斜視簡略図。
【図２】展開形成体の箱本体を示す平面図。
【図３】展開形成体の仕切保持部を示す平面図。
【図４】半完成状態へと組み立てる途中の箱本体を示す斜視簡略図。
【図５】半完成状態の箱本体を示す平面図。
【図６】組み立て途中の箱本体を示す斜視簡略図。
【図７】組み立てられた箱本体と仕切保持部を示す平面簡略図。
【図８】上部の開口部が開放された包装用箱を示す平面簡略図。
【考案を実施するための形態】
【００２０】
まず、図１から図３を用いて、本考案の一実施形態に係る包装用箱１の構成について説明する。
【００２１】
図１は本考案の一実施形態である斜視簡略図。図２は箱本体２の展開形成体である。図３は仕切保持部の展開形成体である。
【００２２】
本実施形態の包装用箱１は、一枚のブランクからなる箱本体２と、同じく一枚のブランクからなる仕切保持部３とによって構成される。このブランクの箱本体２及び仕切部と保持部を有する仕切保持部３とを組み立て所定の箇所で連結することで、包装用箱１は形成される。包装用箱１は、板紙、段ボールなどの厚紙で形成されて、菓子等の物品を所定の間隔で仕切りながら収納するとともに、保冷材等の備品を箱本体２の内部で保持することが可能である。包装用箱１は、厚紙の他、樹脂素材を用いた板状部材等で形成されてもよい。
【００２３】
箱本体２は、上部に開口部を有し、当該開口部を箱本体２の一部である蓋部４０により閉塞することで密閉する。さらに、箱本体２の開口部には、目に留まり易いように、広告や物品の説明等である情報表示を有した天頂面が配置される。
【００２４】
以下では、説明を容易とするため、図中に示す方向を基に説明を行うこととする。
【００２５】
図２に示す展開形成体に従って、箱本体２を構成する部分を説明する。図２は、包装用箱１の内側となる面を紙面の手前側として示している。
【００２６】
箱本体２は、底部２０と、底部２０に対して起立する四つの側壁と、側壁の一部と連設され箱本体２の上部の開口部を閉塞可能とする蓋部４０からなる（図１参照）。
【００２７】
四つの側壁の内、三つの側壁は、箱本体２が組み立てられた状態において、外側になる外側板と、内側を構成する内側板を備える。図２の中央よりも下あたりにある前側板１１は、前側の外側板となる部分である。前側板１１には、左右の辺に折目線を介して、それぞれ左側板１２と右側板１３とが連設される。さらに、左側板１２には、前側板１１と対向する辺に折目線を介して、後側板１４が連設される。後側板１４には、左側板１２と対向する辺に折目線を介して、取付フラップ１５が連設される。この取付フラップ１５は、前側板１１と対向する右側板１３の端部に固定されて、後側板１４を右側板１３に対して固定する部分である。
【００２８】
底部２０は、包装用箱１の底となる部分であり、本実施形態において「ワンタッチ底」と称される主に四つの部分で構成される底である。底板の四つの部分は、それぞれ前述の外側板（前側板１１、左側板１２、右側板１３、後側板１４）に連設される。つまり、前側板１１の下辺となる辺には、折目線を介して前底板２１が連設される。左側板１２の下辺となる辺には、折目線を介して左底板２２が連設される。右側板１３の下辺となる辺には、折目線を介して右底板２３が連設される。後側板１４の下辺となる辺には、折目線を介して後底板２４が連設される。
【００２９】
さらに、前底板２１の右底板２３側と後底板２４の左底板２２側には、折畳線６１と折畳線６２を介して、前取付フラップ２５と後取付フラップ２６とが連設される。前取付フラップ２５と後取付フラップ２６とは、それぞれ右底板２３と左底板２２とに固定され、前底板２１と後底板２４とを右底板２３と左底板２２とに対してそれぞれ固定する部分である。
【００３０】
前底板２１と前側板１１を連設する折目線は、左右中央部で分断され、この分断された箇所には、後述する係止フラップ４３が係止可能となる切込である係止切込部６３が形成される。
【００３１】
前側板１１には、前底板２１に対向する辺に折目線を介して前縁板３１が連設される。左側板１２には、左底板２２に対向する辺に折目線を介して左縁板３２が連設される。右側板１３には、右底板２３に対向する辺に折目線を介して右縁板３３が連設される。
【００３２】
前縁板３１には、前側板１１に対向する辺に折目線を介して前内側板３４が連設される。左縁板３２には、左側板１２に対向する辺に折目線を介して左内側板３５が連設される。右縁板３３には、右側板１３に対向する辺に折目線を介して右内側板３６が連設される。右内側板３６には、後述する仕切保持部３の差込片８５ａ（図３参照）が係止可能となる切込である係止切込部３６ａが形成される。
【００３３】
前内側板３４には、前縁板３１と対向する辺に折目線を介して前係止板３７が連設される。左内側板３５には、左縁板３２と対向する辺に折目線を介して左係止板３８が連設される。右内側板３６には、右縁板３３と対向する辺に折目線を介して右係止板３９が連設される。
【００３４】
蓋部４０は、底部２０に起立する四つの側壁によって形成される上部の開放部を閉塞可能とするための部分である。蓋部は、蓋本体４１、蓋フラップ４２、係止フラップ４３によって構成される。蓋本体４１は、後側板１４の後底板２４と対向する辺に、折目線を介して連設される。蓋本体４１には、後側板１４と対向する辺に折目線を介して蓋フラップ４２が連設される。蓋フラップ４２には、蓋本体４１と対向する辺の一部に折目線を介して係止フラップ４３が連設される。
【００３５】
以上が、本実施形態における箱本体２の主な構成である。次に、箱本体内に収容する物品を仕切り、備品を保持することが可能である仕切保持部３について図３を用いて説明する。
【００３６】
まず、物品を仕切るための部分である仕切部７について説明する。
【００３７】
内底板７１は、箱本体２の底部２０の内側に接触する部分であり、箱本体２の内部に配置できる大きさに形成されている。内底板７１には、長手方向の一方向に突出する略「Ｕ」字状の切込線７２が複数箇所（本実施形態において五箇所）に形成され、この切込線７２の両端部を結ぶ直線は、折目線７３とされる。この切込線７２と折目線７３によって囲まれた部分は、仕切片７４が形成される。
【００３８】
内底板７１の長手方向の他辺には、連結折目線７５を介して、備品保持部８の起立板８１が連設される。さらに、連結折目線７５は、途中で分断されており、分断された箇所には、支持片７６が備品保持部８側に突出する切目によって形成される。
【００３９】
次に、備品を箱本体２内に保持するための備品保持部８について説明する。
【００４０】
起立板８１には、内底板７１に対向する辺に天頂折目線８２を介して天頂板８３が連設される。天頂折目線８２は、途中で分断されており、分断された箇所には、表示突出片８３ａが起立板８１側（天頂板８３の外側）に突出する天頂切目８２ａによって形成される。
【００４１】
つまり、天頂面を有する天頂板８３の起立板８１側の端辺は、天頂折目線８２と天頂切目８２ａにより形成される。そして、天頂切目８２ａは、天頂折目線８２よりも天頂板８３の外側へ突出する。従って、天頂板８３は、天頂板８３の外側である起立板８１側に天頂折目線８２よりも突出する表示突出片８３ａを有する。
【００４２】
天頂板８３には、起立板８１に対向する辺に折目線８４を介して、連結板８５が連設される。連結板８５は、天頂板８３に対向する端部に、差込片８５ａと差込保持片８５ｂ・８５ｂが形成される。差込片８５ａは、右内側板３６に形成された係止切込部３６ａに対応する位置に形成される。
【００４３】
天頂板８３は、箱本体２の上部の開口側となる面を天頂面としている。天頂面には、箱本体２の内部に収容する物品の説明や装飾等の情報表示が付される。また、天頂板８３は、蓋部４０を開いた状態とし、物品とともに展示すれば、天頂面に付された表示情報が宣伝広告の機能を果たすこともできる。ここで、情報表示を付するとは、天頂面に対して、印刷表示するだけでなく、エンボス加工のように立体形成したり、シール等を貼り付ける等としている。
【００４４】
尚、図中に示す表示突出片８３ａは、その開放端である天頂切目８２ａを起立板８１側に湾曲する凸状としているが、天頂切目の形状によって、表示突出片を正方形、長方形、星型など、その他の形状に形成してもよい。また、天頂切目を形成する位置は、天頂折目線８２を中央で分断する位置とされているが、天頂板の一端辺の一側に天頂折目線、他側に天頂切目を形成してもよい。
【００４５】
以下に、展開形成体の箱本体２から半完成状態とする工程を図１、図２、図４、及び図５に従って、説明する。
【００４６】
箱本体２は、図２に示す展開形成体の状態から、図４に示す状態となるように、折目線を谷折りすることで、前底板２１と後底板２４と左底板２２と右底板２３とが、四つの側壁の一部を構成する前側板１１と後側板１４と左側板１２と右側板１３との内面に接触するように、折り畳まれる。
【００４７】
さらに、前取付フラップ２５と後取付フラップ２６とは、その折畳線６１・６２でそれぞれ谷折りすることで、前底板２１と後底板２４にそれぞれ面で接触するように折り畳まれる。
【００４８】
この図４に示す状態から図５に示す状態とするために、左側板１２と後側板１４との折目線を谷折りすることで、後側板１４は左側板１２に対して折り畳まれる。このとき、後取付フラップ２６は、接着剤等によって左底板２２に固定される。
【００４９】
さらに、前側板１１と右側板１３との折目線を谷折りすることで、右側板１３は前側板１１に対して折り畳まれる。このとき、右底板２３は、接着剤等によって、前取付フラップ２５に固定される。後側板１４が折り畳まれたことで、取付フラップ１５が前底板２１の外面に接触する位置にあるため、取付フラップ１５は、接着剤等によって右側板１３の開放端部に固定される。以上の工程を経て、箱本体２は、図５に示す半完成状態となる。
【００５０】
次に、半完成状態の箱本体２を組み立て、箱本体２に仕切保持部３を組み付ける工程を図１及び図５から図８に従って説明する。
【００５１】
図５に示す箱本体２から、図５に現れていない前側板１１に対して、後側板１４を引き起こし、前側板１１と後側板１４とに対して左側板１２と右側板１３が略直角となるように折目線を介して折り曲げられる。すると、底部２０の前底板２１、左底板２２、右底板２３、後底板２４は、それらと連設している前側板１１、左側板１２、右側板１３、後側板１４に対して自ずと略直角となるように折目線を介して折り曲げられ、図６に示すように底部２０に対して四つの外側板（前側板１１、左側板１２、右側板１３、後側板１４）が起立した状態となる。
【００５２】
次に、箱本体２が図６から図７に示す状態となるように、左側板１２と右側板１３から延設された同一平面上の左縁板３２と右縁板３３が、折目線を谷折りすることで、左側板１２と右側板１３に対して略直角に内側へと折り曲げられる。そして、左内側板３５と右内側板３６は、左側板１２と右側板１３の内側となるように、底部２０（前底板２１・左底板２２・右底板２３・後底板２４）に折り立てられる。そのとき、折目線を山折することで、左係止板３８と右係止板３９は左内側板３５と右内側板３６に対してそれぞれ略直角に折り曲げられるとともに、底部２０（前底板２１・左底板２２・右底板２３・後底板２４）に面で接触するように配置される。
【００５３】
さらに、前側板１１から延設された同一平面上の前縁板３１が、折目線を谷折りすることで、前側板１１に対して略直角に内側へと折り曲げられる。そして、前内側板３４は、前側板１１の内側となるように、底部２０（前底板２１・右底板２３）に折り立てられる。そのとき、折目線を山折することで、前係止板３７は前内側板３４に対して略直角に折り曲げられるとともに、底部２０（前底板２１・右底板２３）に面で接触するように配置される。そして、包装用箱１の箱本体２は、蓋部４０が開放され、上部に開口部を有した図７の状態とされる。
【００５４】
次に、仕切保持部３の組み立て工程について図３、図７、図８を用いて説明する。
【００５５】
図３に示す状態から図７に示すように、折目線７３を谷折りすることで、仕切片７４は内底板７１に対して起立される。さらに、連結折目線７５を谷折りすることで、起立板８１は内底板７１に対して起立される。起立板８１と同一平面上に延設された天頂板８３は、天頂折目線８２を山折りすることで、内底板７１と対向する方向（右側となる方向）に折り曲げられる。天頂板８３と同一平面上に延設された連結板８５は、折目線８４を山折することで天頂板８３に対して略直角に下方へと折り曲げられる。
【００５６】
そして、この状態の仕切保持部３が、箱本体２に組み付けられる。つまり、連結板８５の自由端側に形成された差込片８５ａは、箱本体２の右内側板３６の係止切込部３６ａに差し込まれ、差込片８５ａが右内側板３６と右側板１３との間に配置される。すると、差込片８５ａの前後にある差込保持片８５ｂ・８５ｂが、右内側板３６の内側の面に接触する。つまり、差込片８５ａと差込保持片８５ｂ・８５ｂとで、右内側板３６が挟持されることで、仕切保持部３は箱本体２に連結される。
【００５７】
この箱本体２と仕切保持部３が連結された状態で、保冷材や手拭き等の備品を箱本体２の右係止板３９、右内側板３６、仕切保持部３の差込保持片８５ｂ・８５ｂ、連結板８５あたりに接触するように配置させる。ここで、仕切保持部３は予め適宜の箇所で折り曲げられており、連結板８５と天頂板８３と起立板８１によって、空間が形成されている。この空間に備品が収容され、さらに、仕切保持部３の仕切部７の内底板７１が箱本体２の底部２０の内面に接触するように配置される。すると、備品は、底部２０の右底板２３及び後底板２４と天頂板８３との間に、起立板８１と連結板８５（厳密には右内側板３６）とで挟持されるように保持される。
【００５８】
内底板７１に対して起立した仕切片７４・・・によって、菓子などの物品が仕切られながら包装用箱１内に収容される。ここで、箱本体２の内部に、情報表示を付された仕切保持部３が配置されたことにより、箱本体２には、情報表示が付される。従って、包装用箱１に必要不可欠である仕切保持部３を箱本体２の内部に配置することで、箱本体２に情報表示を付することができる。
【００５９】
そして、物品を収容後、蓋本体４１を折目線で谷折りすることで、蓋本体４１は後側板１４に対して箱内側に略直角に折り曲げられる。すると、箱本体２の上部の開口部は閉塞される。さらに、蓋フラップ４２を折目線で谷折りすることで、蓋フラップ４２は、蓋本体４１に対して下方に略直角に折り曲げられる。さらに、係止フラップ４３を折目線で谷折りし、係止フラップ４３が係止切込部６３に挿入されることで、包装用箱１は、物品と備品とが収容された完成の状態となる。
【００６０】
ここで、天頂板８３は、起立板８１が箱本体２の底部２０及び内底板７１に対して起立しているので、天頂板８３は、箱本体２の上部の開口部に位置する。したがって、天頂板８３の上面である天頂面は、箱本体２の開口部側に配置される。
【００６１】
本実施形態では、仕切部７と備品保持部８の両方を有した仕切保持部３に天頂面を有する天頂板８３を設けている。この仕切保持部３の代わりに、仕切部７の機能のみを有した仕切部を構成したり、備品保持部８の機能のみを有した備品保持部を構成したりして、箱本体２に配置することもできる。例えば、本実施形態の備品保持部８を形成せずに、仕切部７と仕切部７の延長部分に天頂面を有した天頂板を形成するようにした仕切部とすることもできる。また、備品保持部のみとするには、本実施形態の仕切部７に相当する箇所に仕切片７４が形成されていない内底板を設け、その内底板に本実施形態の備品保持部８を連設することで形成することができる。
【００６２】
従って、本実施形態の仕切保持部３を箱本体２に配置することは勿論のこと、この仕切保持部３に代えて備品保持部を箱本体２に配置したり、仕切部のみを配置したりすることができ、物品に対応した情報表示を有する仕切保持部３を切り替えることが容易となり、様々な物品の収容に対応する箱本体２とすることができる。
【００６３】
本考案の包装用箱１は、
物品を内部に収容する箱本体２と、
当該箱本体２の内部に配置され前記物品を仕切る仕切部７と、当該仕切部７に連設され備品を保持する備品保持部８と、を有する仕切保持部３と、を備える包装用箱１であって、
前記仕切保持部３は、情報表示を付した天頂面を有し、前記箱本体２と別部材で構成されものである。
【００６４】
上記のように構成することで、物品を仕切る仕切部７と、仕切部７に連設された備品を保持する備品保持部８とを有する仕切保持部３が、情報表示を付した天頂面を有することで、部品点数を増加させることなく、包装用箱１に情報表示を付することができる。さらに、物品を仕切るために必要不可欠な部材である仕切部７と備品を包装用箱１内に保持するために必要不可欠な備品保持部８とが連設されている仕切保持部３に、情報表示が付されているため、包装用箱１に情報表示を確実に添付することができる。また、箱本体２と仕切保持部３が、別部材で構成されることで、物品に対応した情報表示を有する仕切保持部３を切り替えることが容易となり、様々な物品の収容に対応する箱本体２とすることができる。
【００６５】
本考案の包装用箱１は、
前記天頂面を有する天頂板８３の少なくとも一端辺が、天頂折目線８２と天頂切目８２ａにより形成され、
前記天頂切目８２ａが前記天頂折目線８２よりも前記天頂板８３の外側へ突出するものである。
【００６６】
上記のように構成することで、天頂面を有する天頂板８３の少なくとも一端辺が、天頂折目線８２と天頂切目８２ａにより形成され、天頂切目８２ａが天頂折目線８２よりも天頂板８３の外側へ突出するので、情報表示を付する部分である天頂面を広く設けることができる。
【００６７】
本考案の包装用箱１において、
前記天頂面は、前記箱本体２の開口部側に配置されるものである。
【００６８】
上記のように構成することで、天頂面が箱本体２の開口部側に配置されるため、天頂面に付された情報表示が認識しやすくなる。
【符号の説明】
【００６９】
１      包装用箱
２      箱本体
３      仕切保持部
７      仕切部
８      備品保持部
１１    前側板
１２    左側板
１３    右側板
１４    後側板
１５    取付フラップ
２０    底部
２１    前底板
２２    左底板
２３    右底板
２４    後底板
２５    前取付フラップ
２６    後取付フラップ
３１    前縁板
３２    左縁板
３３    右縁板
３４    前内側板
３５    左内側板
３６    右内側板
３６ａ  係止切込部
３７    前係止板
３８    左係止板
３９    右係止板
４０    蓋部
４１    蓋本体
４２    蓋フラップ
４３    係止フラップ
６１    折畳線
６２    折畳線
６３    係止切込部
７１    内底板
７２    切込線
７３    折目線
７４    仕切片
７５    連結折目線
７６    支持片
８１    起立板
８２    天頂折目線
８２ａ  天頂切目
８３    天頂板
８３ａ  表示突出片
８４    折目線
８５    連結板
８５ａ  差込片
８５ｂ  差込保持片
【図１】
0003174492.tif 000003
【図２】
0003174492.tif 000004
【図３】
0003174492.tif 000005
【図４】
0003174492.tif 000006
【図５】
0003174492.tif 000007
【図６】
0003174492.tif 000008
【図７】
0003174492.tif 000009
【図８】
0003174492.tif 000010